(57)【要約】【課題】従来の角パイプを利用した架台に較べて安価であり、穴開け加工の省力化及び設計の自由度を図ることのできる吊架台１であり、またＵ形断面の型材を利用した従来の架台に較べて曲げ応力や剪断応力に対する強度を有する設備ユニット用架台を実現する。【解決手段】設備ユニット用架台１は、土台２に係止する係止部３と、係止部３の間に固定されて、その上面に設備ユニットが載置される支持部５とから成り、支持部５はハット状の上部材１０と、上部材１０が載置される下部材１１とからなり、上部材１０の下部は水平方向へ広がる水平片１３が形成されているとともに、下部材１１は水平片１３を包み込むように曲げ片１４が形成されており、曲げ片１４はハット状の上部材１０に向かって、斜め向きに形成されている。【選択図】図１
2008025286.tif 000002
【特許請求の範囲】
【請求項１】
設備ユニットが載置される支持部を有する設備ユニット用架台であって、支持部はハット状の上部材と、上部材が載置される下部材とからなり、上部材の下部は水平方向へ広がる水平片が形成されているとともに、下部材は水平片を包み込むように曲げ片が形成されていることを特徴とする設備ユット用架台。
【請求項２】
土台に係止する係止部と、係止部の間に固定されて、その上面に設備ユニットが載置される支持部とからなる設備ユニット用架台であって、支持部はハット状の上部材と、上部材が載置される下部材とからなり、上部材の下部は水平方向へ広がる水平片が形成されているとともに、下部材は水平片を包み込むように曲げ片が形成されていることを特徴とする設備ユット用架台。
【請求項３】
請求項１又は２記載の設備ユニット用架台であって、曲げ片はハット状の上部材に向かって、斜め向きに形成されていることを特徴とする設備ユニット用架台。
【請求項４】
請求項１、２又は３記載の設備ユニット用架台あって、下部材の厚みが上部材の厚みより小さく形成されていることを特徴とする設備ユニット用架台。
【発明の詳細な説明】
【技術分野】
【０００１】
本発明は、浴室ユニット、ユニットルーム等の設備ユニットを載せて支持する設備ユニット用架台に関する。
【背景技術】
【０００２】
図５は、浴室ユニット、ユニットルーム等の設備ユニットを載せて支持する設備ユニット用架台の従来例を示す図（（ａ）は平面図、（ｂ）は正面図（ｂ）、（ｃ）は（ａ）のＡ−Ａ断面図、（ｄ）は側面図）である。
【０００３】
この設備ユニット用架台３０は、土台３３に係止する係止部３１と、係止部３１の間に固定されて、その上面に設備ユニットが載置される支持部３２とからなる。この従来例の設備ユニット用架台３０は、設備ユニットの重量を支えるために強度面の理由で、支持部３２は、図５（ｃ）に示すように、角パイプ（一般構造用角型鋼管）を使用することが一般的である。
【０００４】
その他の従来例として、ユニットルーム用架台で、主枠を逆Ｕ型断面とし、開口部に外側へ曲がる補強縁を設けた構成が知られている（特許文献１、２参照）。また、システムバスの吊架台で、下面側に向かって起立する突条を、二股状部材で受容した構成が知られている（特許文献３参照）。さらに、浴室ユニット用架台で、掛り片から支持片にかけて連続した縦筋状のリプが屈曲形成された構成が知られている（特許文献４参照）。
【特許文献１】特開平０７−１９７６７６号公報
【特許文献２】特開平１１−３２４３５９号公報
【特許文献３】特開平０９−３０２７４５号公報
【特許文献４】特開２００１−１０７５８５号公報
【発明の開示】
【発明が解決しようとする課題】
【０００５】
図５に示す従来の設備ユニット用架台３０は、支持部３２に使用されている角パイプの材料が高価であるだけでなく、角パイプの穴開け加工、支持部自体に形成される座金のような膨出部のエンボス加工等は、角パイプ内に中子を入れて各面毎に行う等しなければならず、１工程のプレス加工等で行うことができないので生産性が悪く、また穴開け加工等における位置決め精度等の点でも改善は困難である。
【０００６】
そして、設備ユニットを載置した場合に生じる曲げ応力や剪断応力に対して、強度向上に寄与する曲げ部は、角パイプの場合は４カ所のみであり、強度アップを図るにはサイズアップもしくは板厚アップを行わなければならず、設計的な自由度が限られていた。
【０００７】
引用文献１〜３に記載のユニットルーム用架台、吊架台では、主枠をＵ形断面の型材により形成されているが、この型材の断面サイズによってはユニットルームやシステムバス等の荷重がかかると、主枠の両側壁の下部が外側に開くような変形の可能性があり、曲げ部が４箇所であり、曲げ応力や剪断応力に対する強度アップを図るにはサイズアップもしくは板厚アップを行わなければならない。
【０００８】
本発明は、従来の角パイプを利用した架台に較べて安価であり、穴開け加工の省力化及び設計の自由度を図ることのできる設備ユニット用架台であり、またＵ形断面の型材を利用した従来の架台に較べて曲げ応力や剪断応力に対する強度を有する設備ユニット用架台を実現することを課題とするものである。
【課題を解決するための手段】
【０００９】
本発明は上記課題を解決するために、設備ユニットが載置される支持部を有する設備ユニット用架台であって、  支持部はハット状の上部材と、上部材が載置される下部材とからなり、上部材の下部は水平方向へ広がる水平片が形成されているとともに、下部材は水平片を包み込むように曲げ片が形成されていることを特徴とする設備ユット用架台を提供する。
【００１０】
本発明は上記課題を解決するために、土台に係止する係止部と、係止部の間に固定されて、その上面に設備ユニットが載置される支持部とからなる設備ユニット用架台であって、支持部はハット状の上部材と、上部材が載置される下部材とからなり、上部材の下部は水平方向へ広がる水平片が形成されているとともに、下部材は水平片を包み込むように曲げ片が形成されていることを特徴とする設備ユット用架台を提供する。
【００１１】
上記設備ユニット用架台のいずれも、曲げ片はハット状の上部材に向かって、斜め向きに形成されていることが好ましい。
【００１２】
上記設備ユニット用架台では、下部材の厚みが上部材の厚みより小さく形成されていることが好ましい。
【発明の効果】
【００１３】
本発明に係る設備ユニット用架台によれば、次のような効果が生じる。
（１）架台の支持部を角パイプではなく、それぞれ平板を曲げ加工して作れる上部材と下部材の２つの部材から成る構造（２ピース構造）にしたため、安価な材料である平板からプレス等による穴開け加工や座金部のエンボス加工等がし易くなり、生産性が向上し大量生産工程で製造でき、また加工精度も向上する。
【００１４】
（２）架台の支持部を上記のように２ピース構造にすることにより、架台断面の曲げ部が６カ所になり、曲げ部が４カ所である従来の角パイプの場合より曲げ応力や剪断応力に対する強度が向上できる。
（３）架台の支持部を上記のように２ピース構造にすることにより、上部材及び下部材のそれぞれに最適な板厚を設定することが可能となる。
【発明を実施するための最良の形態】
【００１５】
本発明に係る設備ユニット用架台を実施するための最良の形態を実施例に基づき図面を参照して、以下説明する。
【実施例１】
【００１６】
図１〜３は、本発明に係る設備ユニット用架台の実施例を説明する図である。実施例１の設備ユニット用架台は、土台に吊持され、その上に、システムバス等の設備ユニットを載置する設備ユニット用の吊架台（以下、単に「吊架台」という。）として構成され、利用されるものである。
【００１７】
図１、２において、実施例１の吊架台１の具体的な構成を説明する。吊架台１は、図１（ａ）、（ｂ）に示すように基礎９上の土台２に係止する一対の係止部３と、一対の係止部３の間に固定され、その上面４に設備ユニット（図示せず。）が載置される支持部５とから形成されている。
【００１８】
係止部３は、鋼製の板材（例．構造用鋼板等）を曲げ加工（ベンディング加工）等することで作製し、上から水平係合部６、傾斜部７及び垂直部８から一体に形成されて成る。水平係合部６は、土台２上に載置されて係合する部分である。
【００１９】
一対の係止部３の傾斜部７は、それぞれ下方に向かうに従い互いに近づくように内側に向けて傾斜しており、これにより、土台２より太巾の基礎９に接触しないように形成されている。垂直部８は、支持部５の両端に当接して溶接により固定される部分である。
【００２０】
支持部５は、鋼材（例．亜鉛メッキ鋼板等）で形成された杆状の部材であり、図１（ｃ）に示すように、上部材１０と下部材１１が互いに嵌合されて形成されている。この支持部５は、一対の係止部３が、土台２に係止し吊架台１が架設されると、水平に配置される。
【００２１】
支持部５の上部材１０は、図１（ｃ）に示すように、その長手方向に直交する断面が、全体的にハット状に形成されている。即ち、上部材１０は、本体１２と、この本体１２の下部の水平片１３とが一体的に形成されて成る部材である。本体１２は、下方に開口１０’が形成され、断面が逆Ｕ字型又は逆凹型（以下、「逆Ｕ字型」という。）に形成されている。水平片１３は、本体１２の下部の両下縁から巾方向外側に向けて曲げ加工され、水平方向へ広がるように形成されている。
【００２２】
支持部５の下部材１１は、図１（ｃ）に示すように、上部材１０の水平片１３を包み込むように曲げ片１４が形成されている。具体的には、下部材１１は、板材から成る本体１５をその両側縁に沿って巾方向内側に向けて所定の曲げ角度αだけ曲げ加工し、曲げ片１４を形成して製造する。                    
【００２３】
下部材１１の曲げ片１４の曲げ角度αは、曲げ片１４内に上部材１０の水平片１３がスライドして嵌合し包み込む程度の角度であり、かしめるような角度ではない。本発明者らがこの角度をいろいろ変えて実証試験を行った結果、この曲げ角度αについては、次のような知見を得た。
【００２４】
即ち、曲げ片１４の曲げ角度αは小さすぎると、曲げ片１４内に上部材１０の水平片１３をスライドして嵌合しにくい。また、使用時に上部材１０に荷重がかかると、上部材１０の開口及び水平片１３がより外側に開く方向の力が作用する。この場合、曲げ片１４の曲げ角度αが小さすぎると、上記水平片１３の力を直に多く受けてしまい、曲げ角度αが大きくなるように変形してしまう。このような知見から、曲げ角度αは、４５〜７５度程度が良く、好ましくは６０度程度がよい。
【００２５】
上部材１０と下部材１１は、それぞれの板厚を適宜、設計により決めて、少ない材料重量で、最適な設計強度を得るようにする。通常は、下部材１１の厚みを上部材１０の厚みより小さく形成することでよい。
【００２６】
この発明は、支持部５が板材から曲げ加工して形成できる構成が特徴である。このように、支持部５、特に上部材１０が板材から曲げ加工して形成できる構成であると、板材の状態において、ネジの通し孔等の穴開け加工やこの通し孔の周囲の座金部となる膨出部のエンボス等を、一括してプレス加工で形成できるので、従来の鋼管等における中子を使用した加工より、生産性、加工性及び加工精度（位置決め精度等）がきわめて良いという顕著な効果が生じる。
【００２７】
なお、すでに断面が逆Ｕ字型に形成されている型材（又は管材）から、水平片１３の曲げ加工して形成してもよい。その場合は、ネジの通し孔等の穴開け加工や通し孔周囲の座金部となる膨出部のエンボス等は、中子を使用したりしてプレス加工等を行うが、従来の鋼管を使用した場合に較べれば、生産性、加工性及び加工精度（位置決め精度等）は少なからず改善できる。
【００２８】
（製作、使用例、作用等）
支持部５を製造する際には、まず上部材１０及び下部材１１を、前述したとおりそれぞれプレスによる曲げ加工、穴開け加工等の工程を通して形成する。そして、上部材１０の水平片１３が下部材１１の曲げ片１４の間に挿入されるように、下部材１１を上部材１０に対してその長手方向に相対的にスライドして嵌合して結合する。
【００２９】
なお、支持部５は、このように上下両部材１０、１１が互いに嵌合したのみの状態でもよいし、さらに、図２（ａ）に示すように、上下両部材１０、１１をその長手方向に適宜間隔をおいた箇所１６（例．長さが１．８ｍの場合は６０ｃｍ毎に２カ所）で溶接して固定してもよい。
【００３０】
次に、支持部５の両端に係止部３を固定するが、支持部５の上部材１０の両端面をそれぞれ、係止部３の垂直部８に溶接により固定する。この溶接箇所を図２（ｂ）では、符号１７で示す。
【００３１】
図３（ａ）、（ｂ）で説明する使用例では、建家の基礎（図示せず。）上に矩形の土台２が設けられており、この土台２の間に複数の吊架台１を係合して吊持させ、その上に、浴室ユニットの浴槽パン１８及び洗い場床パン１９を載置した例を示す。なお、符号２０は、隣接して配置された吊架台１の間に掛け渡し、横桟として機能する補助的な短い横架台である。
【００３２】
吊架台１は、使用時に設備ユニットを載置すると、上部材１０に荷重がかかり、上部材１０の開口１０’が開く方向への力が作用する。しかし、本発明の吊架台１は、下部材１１の曲げ片１４で水平片１３を両側から受けているので、上部材１０の開口１０’が開く方向の変形を拘束して防止することが可能となる。
【００３３】
また、吊架台１は、設備ユニットを載置すると、その荷重によって吊架台１には、その上下方向の撓み変形の起因となる下方への力が作用するが、本発明の吊架台１では、上部材１０に加えて下部材１１が組み合わされているから剛性が増し、加えて、図１（ｄ）に示すように、上下両部材１０、１１において合計６カ所の曲げ部イ〜ヘが形成されているから、曲げ応力や剪断応力対する強度が大きくなる。
【実施例２】
【００３４】
図４は、本発明に係る設備ユニット用架台の実施例２を説明する図である。この実施例２の設備ユニット用架台２１は、後記する構造の設備ユニット用架台２１を縦横方向に組み立て、洗い場パン用架台及び浴槽等の設備ユニットを載置する支持架台構造物２２として使用する例である。
【００３５】
この実施例２の設備ユニット用架台２１は、杆状の支持部５から成る。この支持部５は、実施例１の支持部５と同じ材料から製造され構成も同じであるから、その詳細な説明はここでは省略するが、図４（ｂ）にその断面を示すように、上部材１０と下部材１１が互いに嵌合され、その長手方向に直交する断面が、全体的にハット状に形成されている。上部材１０と下部材１１は実施例１（図２（ａ）参照）と同様に、その長手方向の適宜箇所で互いに溶接してもよい。要するに、実施例２の設備ユニット用架台２１は、実施例１の吊架台１から係止部３を除いた構成である。
【００３６】
この実施例２の設備ユニット用架台２１が組み込まれる支持架台構造物２２は、図４（ａ）に示すように、横方向に伸びるように配置された前後２本の設備ユニット用架台２１（図中２１−１で示す。）と、この横方向の２本の架台の間に配置された縦方向の設備ユニット用架台２１（図中２１−２で示す）とが互いに固定されて成る。
【００３７】
この固定は、横方向に配置された２本の架台２１−１の対向する内面に、縦方向の架台２１−２の両端を、ネジ又は溶接により行われる。なお、符号２３は、架台２１の間に掛け渡した横桟として機能する補助的な短い横架台である。
【００３８】
この実施例２の設備ユニット用架台２１は、実施例１の支持部５と同様に、平板を曲げ加工して作れる上部材１０と下部材１１の２つの部材から成る構造（２ピース構造）であるために、実施例１と同様の効果が生じる。
【００３９】
即ち、安価な材料である平板からプレス等による穴開け加工や座金部のエンボス加工等がし易くなり、生産性が向上し大量生産工程で製造でき、また加工精度も向上する。そして、架台断面の曲げ部が６カ所になり、曲げ部が４カ所である従来の角パイプの場合より曲げ応力や剪断応力に対する強度が向上できる。
【００４０】
このようにして実施例２の設備ユニット用架台２１が複数互いに縦横に配置された支持架台構造物２２は、図４（ｃ）に示すように、洗い場パン１９及び浴槽２４を載置して支持するものとして使用される。なお、図４（ｃ）では、浴槽２４を露出して明示できるように、浴槽支持枠２５の一部を破断した状態を示す。
【００４１】
この実施例２の設備ユニット用架台２１は、図４（ｃ）に示すように、支持架台構造物２２の垂直方向の支持脚２６としても利用できる。即ち、図４（ｂ）に示すようなハット形状の断面を有する設備ユニット用架台２１を、支持架台構造物２２の下面に垂直方向に配置してその上端を固定して支持脚２６として利用される。また、このように設備ユニット用架台２１を支持脚２６として利用するのではなく、支持脚として高さ調整可能なボルト脚を利用してもよい。
【００４２】
以上、本発明に係る設備ユニット用架台を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４３】
以上の構成から成る本発明に係る設備ユニット用架台は、浴室ユニット、ユニットルーム等の設備ユニット用架台だけでなく、各種の重量物を載置する架台としても適用可能である。
【図面の簡単な説明】
【００４４】
【図１】本発明の実施例１の設備ユニット用吊架台を説明する図であり、図１（ａ）は平面図、図１（ｂ）は正面図、図１（ｃ）は（ａ）のＡ−Ａ断面図及びその部分拡大図、（ｄ）も（ｃ）同様にＡ−Ａ断面図である。
【図２】本発明の実施例１の設備ユニット用吊架台の斜視図であり、図２（ａ）は全体図、図２（ｂ）はその一部を示す
【図３】本発明の実施例１の設備ユニット用吊架台の使用例を説明する図であり、図３（ａ）は土台への取付状態を示し、図３（ｂ）は設備ユニットを載置する状態を示す。
【図４】本発明に係る設備ユニット用架台の実施例２を説明する図であり、図４（ａ）は、複数の設備ユニット用架台を組み立てた状態の一部を示す斜視図、図４（ｂ）はＡ−Ａ及びＢ−Ｂのそれぞれの断面形状であり、図４（ｃ）はこの実施例２の設備ユニット用吊架台の使用例を説明する斜視図である。
【図５】浴室ユニット、ユニットルーム等の設備ユニットを載せて支持する設備ユニット用架台の従来例を示す図であり、図５（ａ）は平面図、図５（ｂ）は正面図、図５（ｃ）は（ａ）のＡ−Ａ断面図、図５（ｄ）は側面図）である。
【符号の説明】
【００４５】
１  吊架台                             
２、３３  土台                       
３、３１  係止部                             
４  支持部の上面                       
５、３２  支持部                             
６  係止部の水平係合部                 
７  係止部の傾斜部                             
８  係止部の垂直部                             
９  基礎                               
１０  支持部の上部材                  
１０’上部材の開口                
１１  下部材                          
１２  上部材の本体                    
１３  上部材の水平片                          
１４  下部材の曲げ片                  
１５  下部材の本体                            
１６  支持部の上下部材を溶接箇所  
１７  支持部と係止部の溶接箇所                        
１８  浴槽パン                        
１９  洗い場床パン                    
２０、２３  横架台                          
２１  設備ユニット用架台    
２２  支持架台構造物                  
２４  浴槽                            
２５  浴槽支持枠                      
２６  支持脚                          
３０  設備ユニット用架台（従来例）              
【図１】
2008025286.tif 000003
【図２】
2008025286.tif 000004
【図３】
2008025286.tif 000005
【図４】
2008025286.tif 000006
【図５】
2008025286.tif 000007